(57)【要約】【課題】特にコピーワンスの場合に、ユーザの煩雑な操作を必要としない録画制御装置を提供する。【解決手段】録画制御装置としてのデジタルテレビ１は、録画予約を行う予約手段と、録画されるコンテンツのコピー制御情報を判別する判別手段と、判別手段により、１回のみコピーができるコピーワンスと判別された場合に、録画機器の自動選択を行う選択手段とを備える。【選択図】図２
2011124767.tif 000002
【特許請求の範囲】
【請求項１】
録画予約を行う予約手段と、
録画されるコンテンツのコピー制御情報を判別する判別手段と、
前記判別手段により、１回のみコピーができるコピーワンスと判別された場合に、録画機器の自動選択を行う選択手段と、
を備えることを特徴とする録画制御装置。
【請求項２】
前記判別手段は、電子番組ガイドから予約された番組の属性情報を取得して前記コピー情報を判別することを特徴とする請求項１記載の録画制御装置。
【請求項３】
前記判別手段は、番組情報に埋め込まれている前記コピー情報を判別することを特徴とする請求項１記載の録画制御装置。
【請求項４】
前記選択手段は、前記コピーワンスと判別された場合に、リムーバブルメディアに録画可能な前記録画機器を自動選択することを特徴とする請求項１記載の録画制御装置。
【請求項５】
録画予約を行う予約ステップと、
録画されるコンテンツのコピー制御情報を判別する判別ステップと、
前記判別ステップにより、１回のみコピーができるコピーワンスと判別された場合に、録画機器の自動選択を行う選択ステップと、
を備えることを特徴とする録画制御方法。
【請求項６】
前記判別ステップは、電子番組ガイドから予約された番組の属性情報を取得して前記コピー情報を判別することを特徴とする請求項５記載の録画制御方法。
【請求項７】
前記判別ステップは、番組情報に埋め込まれている前記コピー情報を判別することを特徴とする請求項５記載の録画制御方法。
【請求項８】
前記選択ステップは、前記コピーワンスと判別された場合に、リムーバブルメディアに録画可能な前記録画機器を自動選択することを特徴とする請求項５記載の録画制御方法。
【請求項９】
録画制御方法をコンピュータに実行させるプログラムにおいて、
前記録画制御方法は、
録画予約を行う予約ステップと、
録画されるコンテンツのコピー制御情報を判別する判別ステップと、
前記判別ステップにより、１回のみコピーができるコピーワンスと判別された場合に、録画機器の自動選択を行う選択ステップと、
を備えることを特徴とするプログラム。
【請求項１０】
請求項９記載のプログラムを格納するコンピュータで読み取り可能な記憶媒体。
【発明の詳細な説明】
【技術分野】
【０００１】
本発明は、録画制御装置及び方法、並びにプログラム及び記憶媒体に関する。
【背景技術】
【０００２】
最近、デジタル放送が開始され、普及が進んでいる。これは、デジタルデータの方がアナログデータよりも帯域を効率よく利用でき、高画質化・高音質化を図ることができる点や、映像や音声以外のデータとの親和性が高い点などに依拠する。
【０００３】
例えば、放送コンテンツがデジタルデータであれば、１チャンネルで４本分のデータを搬送することができ、ハイビジョン用のデータをそのまま送信することができることから、サービスの高度化や多様化をもたらす。
【０００４】
例えば、ＥＰＧ（ＥｌｅｃｔｒｉｃＰｒｏｇｒａｍ Ｇｕｉｄｅ：電子番組ガイド）など各種のシステム情報などを映像情報や音声情報とともに送ることによって、ユーザ（視聴者）へのサービスを向上させることができる。当該ＥＰＧは、放送番組の放送スケジュールや番組名などの提示情報を有する他、ＶＴＲへの録画予約などの機能を包含する。
【０００５】
上述したデジタル放送においては、デジタルコンテンツの複製が容易であることから、著作権管理の強化が図られている。例えば、ＡＲＩＢ（電波産業会）では、「１回のみコピー可」（以下、コピーワンスと称する）といったコピー制御機能の導入を義務付け、厳しいコンテンツ保護規定を設けている。
【０００６】
上述したように、コピーワンスのコンテンツは複製を作ることができない。このため、モバイル機器にコピーして持ち運ぶためには、ホームサーバ内のコンテンツを削除しなくてはならず、ホームサーバとモバイル機器両方にコンテンツを保持することができない。
【０００７】
この不具合を解決する技術として、コンテンツが必要な複数の機器それぞれにおいて録画をするというものがあるが、それぞれの機器で録画の設定をしなければならず、操作が面倒である。
【０００８】
１台の機器から複数の機器に対し、異なるコンテンツの録画の設定を行うというも考えられる。しかしながら、この場合も操作対象機器は１台であっても、コンテンツ毎に録画設定を行なわなくてはならず操作が煩雑となる。
【０００９】
このようなユーザの煩雑な操作を解消するために、例えば、特許文献１においては、以下の技術が開示されている。
【００１０】
即ち、複数の録画機器等を連携させるシステムにおいて、コピーワンスの放送の場合には、当該ネットワーク上に接続された複数の録画機器に対して当該コピーワンスの放送を録画させる。
【先行技術文献】
【特許文献】
【００１１】
【特許文献１】特開平２００１−２４４５７６号公報
【発明の概要】
【発明が解決しようとする課題】
【００１２】
しかしながら、上記特許文献１に示されている技術においては、ユーザが当該コピーワンス放送に対して、録画する個数を設定しなければならないので、操作が煩雑であるという問題があった。
【００１３】
本発明の目的は、特にコピーワンスの場合に、ユーザの煩雑な操作を必要としない録画制御装置を提供することにある。
【課題を解決するための手段】
【００１４】
上記目的を達成するために、請求項１記載の録画制御装置は、録画予約を行う予約手段と、録画されるコンテンツのコピー制御情報を判別する判別手段と、前記判別手段により、１回のみコピーができるコピーワンスと判別された場合に、録画機器の自動選択を行う選択手段とを備えることを特徴とする。
【００１５】
請求項５記載の録画制御方法は、録画予約を行う予約ステップと、録画されるコンテンツのコピー制御情報を判別する判別ステップと、前記判別ステップにより、１回のみコピーができるコピーワンスと判別された場合に、録画機器の自動選択を行う選択ステップと備えることを特徴とする。
【００１６】
請求項９記載のプログラムは、録画制御方法をコンピュータに実行させるプログラムにおいて、前記録画制御方法は、録画予約を行う予約ステップと、録画されるコンテンツのコピー制御情報を判別する判別ステップと、前記判別ステップにより、１回のみコピーができるコピーワンスと判別された場合に、録画機器の自動選択を行う選択ステップとを備えることを特徴とする。
【００１７】
請求項１０記載のコンピュータで読み取り可能な記憶媒体は、請求項９記載のプログラムを格納する。
【発明の効果】
【００１８】
本発明の録画制御装置は、録画予約を行う予約手段と、録画されるコンテンツのコピー制御情報を判別する判別手段と、判別手段により、１回のみコピーができるコピーワンスと判別された場合に、録画機器の自動選択を行う選択手段とを備える。
【００１９】
この結果、特にコピーワンスの場合に、ユーザの煩雑な操作を必要としない録画制御装置を提供することができる。
【図面の簡単な説明】
【００２０】
【図１】本発明の実施の形態に係る録画制御装置を含む録画制御装システムのブロック構成図である。
【図２】図１における録画制御装置としてのＤＴＶ１によって実行される第１の録画制御処理の手順を示すフローチャートである。
【図３】図１における録画制御装置としてのＤＴＶ１によって実行される第２の録画制御処理の手順を示すフローチャートである。
【発明を実施するための形態】
【００２１】
以下、本発明の実施の形態を図面を参照しながら詳細に説明する。
【００２２】
図１は、本発明の実施の形態に係る録画制御装置を含む録画制御装システムのブロック構成図である。
【００２３】
図１において、本録画制御システムは、録画制御装置（コントローラ）として機能するデジタルテレビ（以下、ＤＴＶと称する）１、ハードディスク装置を内蔵した第１のデジタルレコーダ（以下、ＤＶＲと称する）２を備える。
【００２４】
また、本録画制御システムは、ＤＶＤドライブとハードディスク装置とを内蔵した第２のＤＶＲ３、大容量のハードディスク装置を複数個内蔵して映像及び画像データを含む様々なデータを格納できるホームサーバ４、スイッチングハブ５を備える。
【００２５】
上記、ＤＴＶ１、第１のＤＶＲ２、第２のＤＶＲ３及びホームサーバ４は、例えば、スイッチングハブ５を介して、イーサネット（登録商標）により相互に接続されている。
【００２６】
本実施の形態においては、ＤＴＶ１はテレビチューナを内蔵しており、取り込んだ画像信号を、上記イーサネット(登録商標)を介して第１のＤＶＲ２、第２のＤＶＲ３及びホームサーバ４に配信することができる。また、ＤＴＶ１は、上記イーサネット(登録商標)を介して通信することにより、第１のＤＶＲ２、第２のＤＶＲ３及びホームサーバ４の動作を制御することが可能である。
【００２７】
次に、上記録画制御システムの動作を説明する。
【００２８】
ユーザは、予め録画モードの選択を行う。当該録画モードの選択は、例えば本実施の形態のコントローラとして動作するＤＴＶ１に対して行われる。録画モードは、コピー情報に応じて録画機器選択を自動的に行うか否かを選択するためのモードである。
【００２９】
本実施の形態では、録画モードは、例えば、録画する番組が１回のみコピーができるコピーワンスの場合に、持ち運び容易な記録媒体（以下、リムーバブルメディアと称する）に録画可能な機器に優先して録画するか否かを選択するモード（以下、可搬モードと称する）である。
【００３０】
同様に、ユーザは放送予定表から所望の番組を選択して録画予約を行う。ＤＴＶ１は、録画予約された番組の属性情報から録画されるコンテンツの著作権情報またはコピー制御情報を取り出す。当該著作権情報またはコピー制御情報がコピー禁止を示している場合、本実施の形態のＤＴＶ１は、録画予約の際に録画不可能であることを示す表示を行って動作を終了する。
【００３１】
著作権情報またはコピー制御情報が、コピーが無制限に可能なことを示している場合、本実施の形態のＤＴＶ１は、ユーザに録画機器を選択させるための選択画面を表示する。
【００３２】
また、著作権情報またはコピー制御情報が、コピーが無制限に可能なことを示している場合には、空き容量が大きいもの、高速動作できるもの、同時刻に予約が入っていないものなど、既に開示されている方法に基づいて機器の自動選択を行うことも可能である。
【００３３】
番組がコピーワンスの場合、本実施の形態では、録画機器の選択をユーザが行う必要が無い。予約された番組がコピーワンスの場合、録画機器の選択は、ＤＴＶ１が自動的に行う。
【００３４】
番組がコピーワンスの場合、本実施の形態では、第２のＤＶＲ３のみがリムーバブルメディアに記録可能な機器である。従って、ＤＴＶ１は、録画予約された番組を、第２のＤＶＲ３で録画させるように制御する。
【００３５】
第２のＤＶＲ３においては、例えば、当該予約番組は、一旦内蔵のハードディスク装置に記録される。第２のＤＶＲ３においては、ユーザが当該予約番組を持ち運んで他の録画機器で視聴したいと所望した場合には、当該予約番組をハードディスク装置からＤＶＤへ移動させることができる。
【００３６】
（第１の録画制御例）
図２は、図１における録画制御装置としてのＤＴＶ１によって実行される第１の録画制御処理の手順を示すフローチャートである。
【００３７】
図２において、まず、ステップＳ１で、可搬モードか否かの判別が行われる。可搬モードでない場合、ステップＳ２に進み、不図示の通常動作が行われる。ステップＳ１で可搬モードであった場合、ステップＳ３にて録画予約動作が行われる（予約手段）。録画予約動作は、例えば、公知の電子番組ガイド（ＥＰＧ）などを用いて行われる。
【００３８】
ステップＳ３の録画予約動作が終了すると、ＤＴＶ１は、上記のＥＰＧから予約された番組の属性情報を取得し、ステップＳ４にてコピー制御情報の判別を行う（判別手段）。
【００３９】
ステップＳ４で、当該番組が無制限にコピー可能（コピーフリー）な場合、ＤＴＶ１はステップＳ５で、録画機器選択を促す選択画面を表示させて、ユーザに録画機器の選択を行わせる。また、ステップＳ４にて、予約番組がコピーワンスの場合、ステップＳ６で自動的に録画機器を選択する（選択手段）。
【００４０】
上述したように、コピーワンスの場合、録画動作を行わせるために選択される録画機器は、リムーバブルメディアに録画可能な録画機器である。
【００４１】
予約された番組の放送時刻に達すると、リムーバブルメディアに録画可能な録画機器は、ステップＳ７において録画動作を行う。また、ステップＳ４にて、予約された番組がコピー禁止の場合は、ステップＳ７の録画動作自体がなされないようになっている。上記動作が終了すると、本処理が終了する。
【００４２】
上記動作により、本制御例では、録画される番組がコピーワンスの場合、リムーバブルメディアに録画可能な録画機器が優先的、かつ、自動的に選択されて録画可能になる効果がある。従って、ユーザの操作が煩雑でないという効果がある。
【００４３】
本制御例では、機器間の接続にイーサネット(登録商標)を用いているが、ＩＥＥＥ１３９４、ＵＳＢ、ＨＤＭＩなど他のデジタルインターフェイスを用いて接続することが可能であることはいうまでも無い。
【００４４】
（第２の録画制御例）
図２に示す第１の録画制御例では、ＥＰＧから予約された番組の属性情報を取得してコピー制御情報を判別するようにしていたが、放送波中に埋め込まれているコピー制御情報を用いてコピー制御を行うことも可能である。
【００４５】
図３は、図１における録画制御装置としてのＤＴＶ１によって実行される第２の録画制御処理の手順を示すフローチャートである。
【００４６】
図３において、まず、ステップＳ１１で、可搬モードか否かの判別が行われる。可搬モードでない場合、ステップＳ１２に進み、不図示の通常動作が行われる。ステップＳ１１で可搬モードであった場合、ステップＳ１３にて録画予約動作が行われる（予約手段）。録画予約動作は、例えば、公知のＥＰＧなどを用いて行われる。
【００４７】
予約された番組の放送時刻に達すると、次のステップＳ１４で番組の受信が開始される。当該の番組情報中にはコピー制御情報（以下、ＣＣＩと称する）が埋め込まれている。次のステップＳ１５で当該ＣＣＩが取り出される。次のステップＳ１６では、ＣＣＩの情報をデコードしてコピー制御の判別がなされる（判別手段）。
【００４８】
ステップＳ１６で当該番組がコピーワンスの場合、ステップＳ１７で録画機器リスト中、リムーバブルメディアに記録可能な録画機器が優先されるような処理が行われる（選択手段）。
【００４９】
当該処理は、例えば、上記録画機器リストにおいて、リムーバブルメディアに記録可能な録画機器が選択キューの上位に移動されることによって、または、リムーバブルメディアに記録可能な録画機器が録画機器リスト上でマークされることによって行われる。
【００５０】
次のステップＳ１８で録画機器が選択される。ステップＳ１６で番組が無制限にコピー可能な場合（コピーフリー）は、直接ステップＳ１８に移り、録画機器が選択される（選択手段）。次のステップＳ１９では、録画動作が行われる。
【００５１】
また、ステップＳ１６でコピー禁止であった場合には、ステップＳ１７、ステップＳ１８、ステップＳ１９がスキップされ、当該番組が録画されないようになっている。そして本処理が終了する。
【００５２】
ＤＴＶ１は、例えば公知のＵＰｎＰ、ＤＬＮＡ、Ｒｅｎｄｅｚｖｏｕｓ  などを用いて、予め各機器の情報を取得しておいても良い。この場合、上記の録画機器リストの作成が容易になるといった効果がある。
【００５３】
また、本実施の形態では、機器間の接続にイーサネット(登録商標)を用いているが、ＩＥＥＥ１３９４、ＵＳＢ、ＨＤＭＩなど他のデジタルインターフェイスを用いて接続することが可能であることはいうまでも無い。
【００５４】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【００５５】
この場合、記憶媒体から読み出されたプログラムコード自体が前述した実施の形態の機能を実現することになり、そのプログラムコード及び該プログラムコードを記憶した記憶媒体は本発明を構成することになる。
【００５６】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００５７】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００５８】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の１部または全部を行う場合である。
【符号の説明】
【００５９】
１  デジタルテレビ（ＤＴＶ）
２  第１のデジタルレコーダ（ＤＶＲ）
３  第２のデジタルレコーダ（ＤＶＲ）
４  ホームサーバ
５  スイッチングハブ
【図１】
2011124767.tif 000003
【図２】
2011124767.tif 000004
【図３】
2011124767.tif 000005